(57)【要約】【課題】ダストを除去できる清潔用品として使用できると共に、鑑賞用品として使用することも可能な除塵ブラシの構造を提供する。【解決手段】両端が開放状態であり裏壁面には螺旋レール１１が設てある円形管体１と、周面には案内用の滑り溝２１とピンホール２２とが対向に設けてあり一端に密封な球面蓋２３が設けてあり円形管体１の内部に収容可能な主体２と、短い円形管であり前端に多数の毛３１が設けてあり後端に台座３２が設けてあり台座３２の長さが主体２の滑り溝２１の長さと一致しており上下滑り片３３が対向に設けてあり上下滑り片３３の外面には一つのピン３４がそれぞれ設けてある滑り台３と、一端が開放状態であり他端が密封な球面蓋４１であり円形管体１の一端に嵌めて係合することが可能である外蓋４とを備え、これらを組み合わせると、全体の外観がカプセル状になる。【選択図】図１
0003117160.tif 000002
【実用新案登録請求の範囲】
【請求項１】
円形管体と、主体と、滑り台と、外蓋とから構成される除塵ブラシの構造において、
前記円形管体は、両端が開放状態であり、その裏壁面には螺旋レールが設けてあり、
前記主体は、周面には案内用の滑り溝とピンホールとが対向に設けてあり、その一端に密封な球面蓋が設けてあり、前記主体が前記円形管体の内部に収容可能であり、
前記滑り台は、短い円形管であり、前端に多数の毛が設けてあり、後端に台座が設けてあり、前記台座の長さが前記主体の滑り溝の長さと一致しており、且つ上下滑り片が対向に設けてあり、前記上下滑り片の外面には一つのピンがそれぞれ設けてあり、
前記外蓋は、一端が開放状態であり、他端が密封な球面蓋であり、前記円形管体の一端に嵌めて係合可能であり、
前記円形管体と、主体と、滑り台と、外蓋とが組み合わされると、全体の外観がカプセル状になることを特徴とする除塵ブラシの構造。
【請求項２】
前記主体の球面蓋は平面蓋に代ってもよく、前記外蓋の球面蓋は平面蓋に代ってもよく、全体の外観が缶状になることを特徴とする請求項１に記載の除塵ブラシの構造。
【請求項３】
前記主体の球面蓋と前記外蓋の球面蓋とは任意の形状を有することを特徴とする請求項１に記載の除塵ブラシの構造。
【考案の詳細な説明】
【技術分野】
【０００１】
本考案は、除塵ブラシの構造に係り、特に、ダストを除去できる清潔用品として使用できると共に、鑑賞品として使用することも可能な除塵ブラシの構造に関するものである。
【背景技術】
【０００２】
特許文献１に開示されている「除塵ブラシ」は、ブラシの主体の上端に滑り溝を設け、且つ滑り台とピンとに合わせて、滑り溝での前後スライドにより、ブラシが展開され又は収納され、実用性は高いが、外観には変化が少なかった。
【０００３】
【特許文献１】台湾実用新案第３０６６２８２号
【考案の開示】
【考案が解決しようとする課題】
【０００４】
本考案の主な目的は、ダストを除去できる清潔用品として使用できると共に、鑑賞用品として使用することも可能な除塵ブラシの構造を提供する。
【課題を解決するための手段】
【０００５】
上記目的を達成するためになされた本考案は、円形管体と、主体と、滑り台と、外蓋とから構成される除塵ブラシの構造において、前記円形管体は、両端が開放状態であり、その裏壁面には螺旋レールが設けてあり、前記主体は、周面には案内用の滑り溝とピンホールとが対向に設けてあり、その一端に密封な球面蓋が設けてあり、前記主体が前記円形管体の内部に収容可能であり、前記滑り台は、短い円形管であり、前端に多数の毛が設けてあり、後端に台座が設けてあり、前記台座の長さが前記主体の滑り溝の長さと一致しており、且つ上下滑り片が対向に設けてあり、前記上下滑り片の外面には一つのピンがそれぞれ設けてあり、前記外蓋は、一端が開放状態であり、他端が密封な球面蓋であり、前記円形管体の一端に嵌めて係合することが可能であり、前記円形管体と、主体と、滑り台と、外蓋とは組み合わせると、全体の外観がカプセル状になることを特徴とする除塵ブラシの構造であることを要旨としている。
【０００６】
さらに、前記主体の球面蓋は平面蓋に代ってもよく、前記外蓋の球面蓋は平面蓋に代ってもよく、そうすると、全体の外観が缶状になることを要旨としている。
さらに、前記主体の球面蓋と前記外蓋の球面蓋とは他の形状を持つ蓋に代ってもいいことを要旨としている。
（考案の効果）
本考案に係る除塵ブラシの構造によれば、ダストを除去できる清潔用品として使用できると共に、鑑賞品として使用することも可能である。
【考案を実施するための最良の形態】
【０００７】
以下、添付図面を参照して本考案の好適な実施の形態を詳細に説明する。
まず、図１と図２を参照する。本考案の第一実施例に係る除塵ブラシの構造は、円形管体１と、主体２と、滑り台３と、外蓋４とから構成される。
前記円形管体１は、両端が開放状態であり、その裏壁面には螺旋レール１１が設けてある。
【０００８】
前記主体２は、周面には案内用の滑り溝２１とピンホール２２とが対向に設けてあり、その一端に密封な球面蓋２３が設けてあり、前記主体２が前記円形管体１の内部に収容可能である。
前記滑り台３は、短い円形管であり、前端に多数の毛３１が設けてあり、後端に台座３２が設けてあり、前記台座３２の長さが前記主体２の滑り溝２１の長さと一致しており、且つ上下滑り片３３が対向に設けてあり、前記上下滑り片３３の外面には一つのピン３４がそれぞれ設けてある。
【０００９】
前記外蓋４は、一端が開放状態であり、他端が密封な球面蓋４１であり、前記円形管体１の一端に嵌めて係合することが可能であり、前記円形管体１と、主体２と、滑り台３と、外蓋４とが組み合わされると、全体の外観がカプセル状になる。
次に、図２と図３を参照する。本実施例の組み合わせ方法は、主体２内に滑り台３を嵌め込んで、上下滑り片３３に設けたピン３４を主体２の滑り溝２１のピンホール２２に挿通して、主体２を円形管体１内に嵌め込んで、円形管体１の内面に設けた螺旋レール１１内部に前記ピン３４を嵌め込み、最後に、円形管体１の一端の外縁に外蓋４を嵌めて係合すると、全体は図３に示すようなカプセル造形になる。
【００１０】
本実施例の使用方法は、まず、外蓋４を取り外して円形管体１を旋回することにより、主体２の滑り台３のピン３４が円形管体１に設けた螺旋レール１１に案内されて主体２の滑り溝２１に沿って移動し、そうすると、図４に示すように、旋回方向により毛が前進又は後退し、ブラシの使用が終了したときには、円形管体１を旋回することにより毛を後退させてブラシ外蓋を円形管体１に嵌めて係合する。
【００１１】
次に、図５と図６を参照する。本考案に係る第二実施例では、主体２の球面蓋２３の代りに平面蓋２３Ａを使用し、且つ外蓋４の球面蓋４１の代りに平面蓋４１Ａを使用し、これにより、外観の造形を変化するが、その他の部材と動作とは第一実施例と同様であるので、説明は省略する。もちろん、主体２と外蓋４とは、球面蓋や平面蓋の他に任意の形状にすることにより、造形を変化させてもよい。
【図面の簡単な説明】
【００１２】
【図１】本考案の第一実施例に係る除塵ブラシの分解斜視図である。
【図２】本考案の第一実施例に係る除塵ブラシの組み合わせ状態を示す断面図である。
【図３】本考案の第一実施例に係る除塵ブラシの組み合わせ状態を示す斜視図である。
【図４】本考案の第一実施例に係る除塵ブラシの使用状態を示す斜視図である。
【図５】本考案の第二実施例に係る除塵ブラシの分解斜視図である。
【図６】本考案の第二実施例に係る除塵ブラシの組み合わせ状態を示す斜視図である。
【符号の説明】
【００１３】
１  円形管体、１１  螺旋レール、２  主体、２１  滑り溝、２２  ピンホール、２３  球面蓋、２３Ａ  平面蓋、３  滑り台、３１  毛、３２  台座、３３  上下滑り片、３４  ピン、４  外蓋、４１  球面蓋、４１Ａ  平面蓋
【図１】
0003117160.tif 000003
【図２】
0003117160.tif 000004
【図３】
0003117160.tif 000005
【図４】
0003117160.tif 000006
【図５】
0003117160.tif 000007
【図６】
0003117160.tif 000008